(57)【要約】 管理者に時間労力の負担をかけずに機器情報の格納場所を機器情報データベース上に確保でき、しかもデータベースの記憶容量を効率よく使用できる情報管理装置及びその方法を提供する。 作業時に、受信部が端末の表示を通じて入力された、作業に係る機器の設置場所として直近上位の設備のユニーク識別情報、並びに同機器の作業上の識別情報及びその名称等情報を受信し、生成部が同設備のユニーク識別情報、及び、同機器の作業上の識別情報とを順次連結して同機器のユニーク識別情報を生成する情報管理装置及びその方法である。
2014185111.tif 000002
【特許請求の範囲】
【請求項１】
情報管理の対象である各設備及び各機器に対し、作業者が作業に係る設備又は機器を識別するための作業上の識別情報、並びに、各設備及び各機器が有する存在場所の包含関係についての階層構造に従い識別に係る設備又は機器が属する階層ラインにおける各設備及び各機器の前記作業上の識別情報を最上位側から識別に係る階層まで順次連結して成る、情報管理の対象としての設備又は機器を一意に識別するためのユニーク識別情報、を用いて各設備及び各機器に関する情報の管理を行う情報管理装置であって、
作業に係る設備又は機器の設置場所として少なくとも直近である上位を含む上位に位置付けられる設備又は機器のユニーク識別情報に対して、その名称等情報が対応させられている設備機器名称等情報テーブルを記憶する記憶部と、
前記直近である上位又は直近でない上位に位置付けられる設備又は機器の名称等情報を前記記憶部から読み出して前記直近である上位に位置付けられる設備又は機器のユニーク識別情報の入力が可能な状態で端末に表示する表示部と、
前記表示部により表示された前記端末の表示を通じて入力された前記直近である上位に位置付けられる設備又は機器のユニーク識別情報、並びに、前記端末から入力された前記作業に係る設備又は機器の作業上の識別情報及びその名称等情報を受信する受信部と、
前記受信部により受信した前記直近である上位に位置付けられる設備又は機器のユニーク識別情報、及び、前記作業に係る設備又は機器の作業上の識別情報とを順次連結して前記作業に係る設備又は機器のユニーク識別情報を生成する生成部と、
前記生成部により生成した前記作業に係る設備又は機器のユニーク識別情報に対して、前記受信部により受信した前記作業に係る設備又は機器の名称等情報が対応させられている新規なレコードを前記記憶部における設備機器情報テーブルに挿入する、新規レコード挿入部と、
を備えることを特徴とする情報管理装置。
【請求項２】
請求項１に記載の情報管理装置と、
情報管理の対象である各設備及び各機器の作業上の識別情報を各設備及び各機器に付することにより各設備及び各機器が有する存在場所の包含関係についての階層構造を作業者に対して顕在化させる階層構造顕在化手段と、
からなることを特徴とする情報管理システム。
【請求項３】
情報管理の対象である各設備及び各機器に対し、作業者が作業に係る設備又は機器を識別するための作業上の識別情報、並びに、各設備及び各機器が有する存在場所の包含関係についての階層構造に従い識別に係る設備又は機器が属する階層ラインにおける各設備及び各機器の前記作業上の識別情報を最上位側から識別に係る階層まで順次連結して成る、情報管理の対象としての設備又は機器を一意に識別するためのユニーク識別情報を用いて、通信ネットワークを介して端末に接続された情報管理装置が実行する情報管理方法であって、
前記情報管理装置の記憶部が、作業に係る設備又は機器の設置場所として少なくとも直近である上位を含む上位に位置付けられる設備又は機器のユニーク識別情報に対して、その名称等情報が対応させられている設備機器名称等情報テーブルを記憶するステップと、
前記端末からの指示により、前記情報管理装置の表示部が、前記記憶部によるステップにより記憶された識別に係る設備又は機器の前記直近である上位又は直近でない上位に位置付けられる設備又は機器の名称等情報を前記記憶部における設備機器名称等情報テーブルから読み出して前記直近である上位に位置付けられる設備又は機器のユニーク識別情報の入力が可能な状態で前記端末に表示するステップと、
前記情報管理装置の受信部が、前記表示部によるステップにより表示された前記端末の表示を通じて入力された前記直近である上位に位置付けられる設備又は機器のユニーク識別情報、並びに前記端末から入力された前記作業に係る設備又は機器の作業上の識別情報及びその名称等情報を受信するステップと、
前記情報管理装置の生成部が、前記受信部によるステップにより受信された前記直近である上位に位置付けられる設備又は機器のユニーク識別情報、及び、前記作業に係る設備又は機器の作業上の識別情報とを順次連結して前記作業に係る設備又は機器のユニーク識別情報を生成するステップと、
前記情報管理装置の新規レコード挿入部が、前記生成部によるステップにより生成された前記作業に係る設備又は機器のユニーク識別情報に対して、前記受信部によるステップにより受信された前記作業に係る設備又は機器の名称等情報が対応させられている新規なレコードを前記設備機器名称等情報テーブルに挿入するステップと、
を備えることを特徴とする情報管理方法。
【発明の詳細な説明】
【技術分野】
【０００１】
本発明は、設備及び機器に関する情報の管理を行う情報管理装置及びその方法に関する。
【背景技術】
【０００２】
従来の情報管理装置は、複数の設備（機場、施設、棟屋、階、部屋など）に置かれた機器（装置、部品など）のそれぞれに割り当てられた各識別コードに対して各識別コードが示す各機器の名称情報、所在位置情報その他の機器情報を関連付けて格納してなる機器情報データベースと、機器情報データベースに格納された所望の機器の候補を当該所望の機器に関する機器情報を検索可能な状態で端末に表示する表示部とを含んで構成される。【０００３】
このような情報管理装置にあっては、新規な機器に関する機器情報の格納場所を機器情報データベース上に確保する作業は、管理者が行うことになり、これにより作業者は、作業に係る所望の機器に関する機器情報を検索して特定することが可能となり、必要に応じてこの機器情報を追加入力したり修正したりすることが可能となる（特許文献１参照）。【０００４】
ここで、このような情報管理装置においては、作業者による作業に先行して管理者は現在装置が置かれている場所や装置に包含される膨大な数の部品の全てに関する機器情報の格納場所を機器情報データベース上に確保する必要があり、管理者にとって膨大な時間と労力を要する。【０００５】
また、このような情報管理装置においては、点検や修理などを必要としない装置や機器を点検や修理などを必要とする装置や機器と同じように、機器情報の格納場所を機器情報データベース上に確保しており、データベースの記憶容量を効率よく使用しているとはいえない。【０００６】
なお、関連する技術として、設備・機器類に関する管理情報を、文字情報からの探索だけに頼らず、文字情報と視覚情報とを相互に関連付けて探索可能とし、科学的管理と人間的な感覚面的を併せ持った調和のとれた管理手法が開示されている（特許文献２参照）。
【先行技術文献】
【特許文献】
【０００７】
【特許文献１】特開２００２−３２１６７号公報
【特許文献２】特開２００２−９９６０５号公報
【発明の概要】
【発明が解決しようとする課題】
【０００８】
本発明は、管理者にとって膨大な時間と労力を必要とすることなく機器情報の格納場所を機器情報データベース上に確保することができ、しかもデータベースの記憶容量を効率よく使用することができる情報管理装置及びその方法を提供することを目的とする。
【課題を解決するための手段】
【０００９】
本発明の情報管理装置及び情報管理方法は、以下のとおりである。
（１）情報管理の対象である各設備及び各機器に対し、作業者が作業に係る設備又は機器を識別するための作業上の識別情報、並びに、各設備及び各機器が有する存在場所の包含関係についての階層構造に従い識別に係る設備又は機器が属する階層ラインにおける各設備及び各機器の前記作業上の識別情報を最上位側から識別に係る階層まで順次連結して成る、情報管理の対象としての設備又は機器を一意に識別するためのユニーク識別情報、を用いて各設備及び各機器に関する情報の管理を行う情報管理装置であって、
作業に係る設備又は機器の設置場所として少なくとも直近である上位を含む上位に位置付けられる設備又は機器のユニーク識別情報に対して、その名称等情報が対応させられている設備機器名称等情報テーブルを記憶する記憶部と、
前記直近である上位又は直近でない上位に位置付けられる設備又は機器の名称等情報を前記記憶部から読み出して前記直近である上位に位置付けられる設備又は機器のユニーク識別情報の入力が可能な状態で端末に表示する表示部と、
前記表示部により表示された前記端末の表示を通じて入力された前記直近である上位に位置付けられる設備又は機器のユニーク識別情報、並びに、前記端末から入力された前記作業に係る設備又は機器の作業上の識別情報及びその名称等情報を受信する受信部と、
前記受信部により受信した前記直近である上位に位置付けられる設備又は機器のユニーク識別情報、及び、前記作業に係る設備又は機器の作業上の識別情報を順次連結して前記作業に係る設備又は機器のユニーク識別情報を生成する生成部と、
前記生成部により生成した前記作業に係る設備又は機器のユニーク識別情報に対して、前記受信部により受信した前記作業に係る設備又は機器の名称等情報が対応させられている新規なレコードを前記記憶部における設備機器情報テーブルに挿入する、新規レコード挿入部と、
を備えることを特徴とする情報管理装置。【００１０】
（２）（１）の情報管理装置と、
情報管理の対象である各設備及び各機器の作業上の識別情報を各設備及び各機器に付することにより各設備及び各機器が有する存在場所の包含関係についての階層構造を作業者に対して顕在化させる階層構造顕在化手段と、
からなることを特徴とする情報管理システム。【００１１】
（３）情報管理の対象である各設備及び各機器に対し、作業者が作業に係る設備又は機器を識別するための作業上の識別情報、並びに、各設備及び各機器が有する存在場所の包含関係についての階層構造に従い識別に係る設備又は機器が属する階層ラインにおける各設備及び各機器の前記作業上の識別情報を最上位側から識別に係る階層まで順次連結して成る、情報管理の対象としての設備又は機器を一意に識別するためのユニーク識別情報を用いて、通信ネットワークを介して端末に接続された情報管理装置が実行する情報管理方法であって、
前記情報管理装置の記憶部が、作業に係る設備又は機器の設置場所として少なくとも直近である上位を含む上位に位置付けられる設備又は機器のユニーク識別情報に対して、その名称等情報が対応させられている設備機器名称情報テーブルを記憶するステップと、
前記端末からの指示により、前記情報管理装置の表示部が、前記記憶部によるステップにより記憶された識別に係る設備又は機器の前記直近である上位又は直近でない上位に位置付けられる設備又は機器の名称等情報を読み出して前記直近である上位に位置付けられる設備又は機器のユニーク識別情報の入力が可能な状態で前記端末に表示するステップと、
前記情報管理装置の受信部が、前記表示部によるステップにより表示された前記端末の表示を通じて入力された前記直近である上位に位置付けられる設備又は機器のユニーク識別情報、並びに前記端末から入力された前記作業に係る設備又は機器の作業上の識別情報及びその名称等情報を受信するステップと、
前記情報管理装置の生成部が、前記受信部によるステップにより受信された前記直近である上位に位置付けられる設備又は機器のユニーク識別情報、及び、前記作業に係る設備又は機器の作業上の識別情報を順次連結して前記作業に係る設備又は機器のユニーク識別情報を生成するステップと、
前記情報管理装置の新規レコード挿入部が、前記生成部によるステップにより生成された前記作業に係る設備又は機器のユニーク識別情報に対して、前記受信部によるステップにより受信された前記作業に係る設備又は機器の名称等情報が対応させられている新規なレコードを前記設備機器名称等情報テーブルに挿入するステップと、
を備えることを特徴とする情報管理方法。【００１２】
本発明における「情報管理の対象」は、全部が存在場所の包含関係についての階層構造を有する設備及び機器である。したがって、一部が存在場所の包含関係についての階層構造を有する設備及び機器でも、余りの部分が前記階層構造とは別の階層ラインの上位概念及び下位概念についての階層構造を有する設備及び機器等、全部が存在場所の包含関係についての階層構造を有するとはいえない設備及び機器は、本発明における情報管理の対象より除かれる。
このような階層構造における「存在場所の包含関係」とは、例えば棟屋Ａが３階建ての場合、棟屋Ａの１階、２階、３階、屋上は、棟屋Ａに包含され、棟屋Ａの１階が部屋１、部屋２、部屋３の３つに区分されている場合、部屋１、部屋２、部屋３は、棟屋Ａの１階に包含され、部屋１に装置ａが設置されている場合、装置ａは、部屋１に包含され、装置ａに部品（１）〜部品（８）の８個の部品が使用されている場合、部品（１）〜部品（８）は、装置ａに包含されているというものである。
また、本発明における「設備」とは、例えば、機場、施設、棟屋、階、部屋など移動が難しいものが想定され、「機器」とは、例えば、設備に置かれている装置や装置が備える部品など移動が簡単にできるものが想定される。【００１３】
また、本発明における「作業上の識別情報」とは、作業者が作業に係る設備又は機器を識別する目的で付与されるもので、文字や記号などからなる情報である。この場合、英数字か記号かの別や桁数を問わないが、作業者の誤認による作業対象でない機器について作業してしまう事態や作業者の入力ミスによる誤った格納場所に作業データ等をデータベース上格納してしまう事態を有効に回避しようとする観点からすれば、作業上の識別情報としては、２桁又は３桁の英数字を用いることが好ましい。また、作業者の誤認、入力ミスを回避しながら後記ユニーク識別情報としての一意性を担保するという観点からすれば、最上位側に係る設備のユニーク識別情報としては、３桁又は４桁の英数字を用いることが好ましい。【００１４】
更に、本発明の「ユニーク識別情報」とは、情報管理の対象としての設備又は機器を一意に識別する目的で付与される情報であって、前記したような階層構造に従い識別に係る設備又は機器が属する階層ラインにおける各設備及び各機器の前記した作業上の識別情報を最上位側から識別に係る階層まで順次連結して成るものである。したがって、識別に係る設備又は機器が属する階層ラインにおける各設備及び各機器の作業上の識別情報を上位側から識別に係る階層まで連結したものでも、同階層ラインにおける最上位側から連結していないものや、最上位側から連結しているものの抜けがあって順次連結していないものは、本発明の「ユニーク識別情報」とはいえない。【００１５】
本発明の情報処理装置における「記憶部」は、作業に係る設備又は機器の設置場所として少なくとも直近である上位を含む上位に位置付けられる設備又は機器のユニーク識別情報に対して、その名称等情報が対応させられている設備機器名称等情報テーブルを記憶するものである。したがって、直近である上位に位置付けられる設備又は機器のみについての設備機器名称等情報テーブルを記憶したものや直近である上位に位置付けられる設備又は機器及び直近でない上位に位置付けられる設備又は機器両方についての設備機器名称等情報テーブルを記憶したものが含まれる。なお、設備又は機器の名称等情報は、設備又は機器を象徴的に示す情報であればよく、設備又は機器の名称情報のほか、設備又は機器の略称情報、設備又は機器の作業上の識別情報等を適宜使用しても差し支えない。また、本発明における「作業に係る設備又は機器の設置場所として………設備又は機器」とは、例えば作業に係る設備の設置場所が設備である場合、作業に係る機器の設置場所が設備である場合、作業に係る機器の設置場所が機器である場合等が想定される。【００１６】
前記した記憶部により設備機器名称等情報テーブルに記憶されるユニーク識別情報は、各設備や各機器が有する存在場所の階層構造を熟知した、設備や機器の設計者又は製造者が作成することが望ましい。これらの者は、作業を必要とする各設備や各機器についても十分に熟知しているので、作業負担も少ない。また、各設備や各機器が有する存在場所の包含関係についての階層構造は、設備や機器の設計段階で確定するので、ユニーク識別情報は、設備機器の納入時、又はそれ以前に当該設備機器の使用者に引き渡すことが可能であり、使用者は、設備機器の稼働開始後直ちに本発明における情報管理装置及び情報管理方法を実施することができる。また、各設備及び各機器のうち各設備のユニーク識別情報に対してその名称情報が対応させられているテーブルであれば、さほどの時間や労力をかけることなく作成することが可能であり、係るテーブルが準備されていれば、各機器の設置時に、本発明により各機器のユニーク情報を生成することができる。【００１７】
また、本発明の情報処理装置における「表示部」は、端末から作業者が指示することにより、作業に係る設備又は機器の設置場所として直近である上位又は直近でない上位に位置付けられる設備又は機器の名称等情報を前記記憶部から読み出して前記直近である上位に位置付けられる設備又は機器のユニーク識別情報の入力が可能な状態で端末に表示するものである。ここで、設備又は機器の名称等情報は、設備又は機器を象徴的に示す情報であればよく、設備又は機器の名称情報のほか、設備又は機器を示す画像情報、設備又は機器の作業上の識別情報等を使用しても差し支えない。例えば、直近である上位に位置付けられる設備又は機器を示すアイコン情報を平面図情報上にこの設備又は機器のユニーク識別情報の入力が可能な状態で端末のモニターに表示することが考えられる。
また、本発明の情報処理装置における「受信部」は、前記表示部により表示された前記端末の表示を通じて入力された、作業に係る設備又は機器の設置場所として直近である上位に位置付けられる設備又は機器のユニーク識別情報、並びに、前記端末から入力された作業に係る設備又は機器の作業上の識別情報及び同作業に係る設備又は機器の名称等情報を受信するものである。
更に、本発明の情報処理装置における「生成部」は、前記受信部により受信された、作業に係る設備又は機器の設置場所として直近である上位に位置付けられる設備又は機器のユニーク識別情報、及び、同作業に係る設備又は機器の作業上の識別情報とを順次連結して同作業に係る設備又は機器のユニーク識別情報を生成するものである。
更にまた、本発明の情報処理装置における「新規レコード挿入部」は、前記生成部により生成された、作業に係る設備又は機器のユニーク識別情報に対して、前記受信部により受信された、同作業に係る設備又は機器の名称等情報が対応させられている新規なレコードを前記した記憶部における設備機器情報テーブルに挿入するものである。
【発明の効果】
【００１８】
設備及び機器を管理するデータベースは、管理者がデータベースの全部を構築するよりも、設備及び機器に対して業務を行う作業者が適時データベースの構築に関与する方が効率よくデータベースを構築できることを本発明者は発見した。【００１９】
本発明によれば、管理者が事前に作業に係る設備機器の設置場所として直近である上位に位置付けられる設備機器情報の格納場所を含む設備機器情報データベースさえ準備しておけば、準備した同データベース上に情報の格納場所がない設備機器について作業者が作業を実施するときに、作業者を通じて作業に係る設備機器情報の格納場所を同データベース上に確保することができ、管理者が同データベース上に新規に格納場所を確保する手間を省くことができる。
しかも、点検や修理などを必要とする設備機器に限って同データベース上に情報の格納場所が確保され、点検や修理などを必要としない、即ち、データベースからの情報の読み出しを必要としない設備機器について同データベース上に情報の格納場所が無駄に確保されることがないため、同データベースの記憶容量を効率よく活用できることになる。【００２０】
また、情報管理の対象としての作業に係る設備又は機器を一意に識別するためのユニーク識別情報が、作業者が同作業を実施することにより生成され、また、一旦、生成したユニーク識別情報に変更があった場合も、その変更に携わった作業者によりユニーク識別情報が修正されるので、管理者は、機器の置かれている場所やその変更を把握する必要もなく、データの作成やデータの修正作業の負担が軽減される。
更に、作業上の識別情報を看板、ラベル、タグ等などに示した階層構造顕在化手段を各設備及び各機器に付することにより、各設備及び各機器が有する存在場所の包含関係についての階層構造を作業者に対し顕在化させることができ、作業者による情報の入力が簡単かつ正確に行われることが期待できる。【００２１】
このように、従来と異なる観点で設備及び機器を管理することで、効率よくデータベースを構築できる。
【図面の簡単な説明】
【００２２】
【図１】図１は、実施形態１のシステムの一実施形態を示す図である。
【図２】図２は、情報処理装置及び端末のハードウェアの一実施形態を示す図である。
【図３】図３は、制御部の一実施形態を示す図である。
【図４】図４は、識別情報とユニーク識別情報を説明するための図である。
【図５】図５は、データベースのデータ構造の一実施形態を示す図である。
【図６】図６は、情報処理装置１の動作の一実施形態を示す図である。
【発明を実施するための形態】
【００２３】
以下図面に基づいて、本発明の一実施形態について詳細を説明する。図１は、情報管理システムの一実施形態を示す図（但し階層構造顕在化手段は図示しない）である。なお、以下では、サーバコンピュータである情報管理装置を構成する各部が一箇所に存在する場合について説明するが、これに限られるものではなく、これらの各部が通信ネットワークを介して散在する場合でも、以下の説明が妥当する。図１に示す情報管理システムは、例えば、水道設備、下水道設備、環境設備を各個別に管理するシステムのほか、水道設備、下水道設備、環境設備を総合管理するシステムなどが考えられる。
【００２４】
水道設備は、例えば、浄水場の濾過設備、濾過の過程で発生した汚泥の処理設備などの各種機械設備、ならびにプラントを運転するための受変電設備、計装設備、監視制御設備などの各種電気設備などである。下水道設備は、例えば、水処理用散気装置、汚泥脱水機、汚泥焼却炉、下水汚泥のガス化・燃料化システムに加え高速雨水処理システムなどの各種機械設備、ならびに、プラントを運転するための受変電設備、計装設備、監視制御設備などの各種電気設備などである。環境設備は、例えば、都市ゴミのリサイクル、資源化などの都市環境に不可欠なゴミ処理プラント、ガス化溶融炉やリサイクルプラザ、ゴミ炭化プラント、バイオマス発電システム、廃棄プラスチック破袋選別装置などである。
ただし、本システムは水道設備、下水道設備、環境設備を管理するシステムに限定されるものではなく、他の各種プラントを管理するシステムでもよい。
【００２５】
図１の情報処理装置１は、例えば、クラウドコンピューティングを提供する側のデータセンタに設けられている情報処理装置（１つ以上のサーバコンピュータから構成される装置）が考えられる。端末２ａ〜２ｎは、例えば、携帯情報端末（携帯電話機、Personal Handy-phone System（ＰＨＳ）、スマートフォン、タブレットパーソナルコンピュータなど）、据え置き型の情報端末などが考えられる。通信ネットワーク３は、例えば、有線又は無線を用いた通信に利用される回線などが考えられる。
【００２６】
情報処理装置と端末について説明をする。図２は、情報処理装置及び端末のハードウェアの一実施形態を示す図である。
図２に示す情報処理装置１のハードウェアは、例えば、記憶部２０１、制御部２０２、通信部２０３、入出力制御部２０４及び入出力インターフェース２０５などを備えている。各構成部は、バス２０６によりそれぞれ接続されている。
【００２７】
図２に示す端末２のハードウェアは、例えば、記憶部２１１、制御部２１２、通信部２１３、入出力制御部２１４及び入出力インターフェース２１５などを備えている。各構成部は、バス２１６によりそれぞれ接続されている。
記憶部２０１及び２１１は、例えばＲｅａｄ  Ｏｎｌｙ  Ｍｅｍｏｒｙ（ＲＯＭ）、Ｒａｎｄｏｍ  Ａｃｃｅｓｓ  Ｍｅｍｏｒｙ（ＲＡＭ）などのメモリやハードディスクなどが考えられる。なお、記憶部２０１及び２１１はパラメータ値、変数値などのデータを記録してもよいし、実行時のワークエリアとして用いられてもよい。なお、情報処理装置１の記憶部２０１は外部に設けたデータベースなどの記憶装置でもよい。
【００２８】
制御部２０２及び２１２は、Central Processing Unit（ＣＰＵ）、マルチコアＣＰＵ、プログラマブルなデバイス（Field Programmable Gate Array（ＦＰＧＡ）、Programmable Logic Device（ＰＬＤ）など）を用いることが考えられる。
【００２９】
入出力制御部２０４及び２１４は、情報処理装置１及び端末２に情報を入力し情報処理装置１から情報を出力するために使用されるものである。入出力インターフェース２０５及び２１５からの情報は、この入出力制御部２０４及び２１４を介して、制御部２０２及び２１２にデータとして入力される。一方、制御部２０２及び２１２からのデータは、この入出力制御部２０４及び２１４を介して、入出力インターフェース２０５及び２１５の一つであるモニターに情報として表示される。なお、情報処理装置１の入出力制御部２０４及び入出力インターフェース２０５は、端末２がノート型のコンピュータである場合等、端末２でウェブユーザーインターフェースを介してのデータの入力・情報の表示を行うことができる場合に用いられ、端末２がタッチインターフェースを搭載した液晶ディスプレイを主な入出力制御部とする、板状の、持ち運び可能なコンピュータである場合等、端末２が備える入出力制御部２１４及び入出力インターフェース２１５が用いられる。
通信部２０３及び２１３は、通信ネットワーク３に接続され、通信を行う。
【００３０】
情報処理装置の一構成部分である記憶部について説明をする。
情報処理装置１の記憶部２０１は、例えば作業に係る機器の設置場所として直近である上位に位置付けられる設備及び直近でない上位に位置付けられる設備のユニーク識別情報に対してこれら設備の名称情報がそれぞれ対応させられている設備機器名称情報テーブルを記憶するものである。この場合において、設備又は機器の名称情報は、設備又は機器を象徴的に示す情報であればよく、設備又は機器の名称情報に代えて、設備又は機器の略称情報、設備又は機器の作業上の識別情報であっても差し支えない。
【００３１】
ここで、作業上の識別情報は、作業者が作業に係る設備又は機器を識別する目的で情報管理の対象である各設備及び各機器に対して付与されるもので、数字、文字、記号、それらの組み合わせ、又は、各種コードなどであり、個々の設備や機器を識別するものである。具体的には、この作業上の識別情報は、管理者か現場責任者が看板、ラベル、タグ等などに示して設備又は機器に付することが望ましいが、業務に際して管理者が作成した階層構造顕在化手段を作業者が設備又は機器に付してもよく、空欄である階層構造顕在化手段における作業上の識別情報記入欄に対し作業者自らが記入して設備又は機器に付することとしても差し支えない。
【００３２】
また、ユニーク識別情報は、情報管理の対象としての設備又は機器を一意に識別する目的で情報管理の対象である各設備及び各機器に対して付与される情報であって、各設備及び各機器が有する存在場所の包含関係についての階層構造に従い識別に係る設備又は機器が属する階層ラインにおける各設備及び各機器の作業上の識別情報を最上位側から識別に係る階層まで順次連結して成るものである。即ち、ユニーク識別情報は、各設備及び各機器に割り振られた作業上の識別情報を最上位側から識別に係る階層まで順次連結したものである。例えば、建物Ａ、フロアＡ、部屋Ａ、装置Ａそれぞれに割り振られた作業上の識別情報それぞれが「１２３」「４５６」「７８９」「２８」である場合、ユニーク識別情報は「１２３．４５６．７８９．２８」と表す。本例では、各識別情報を「．」で連結をしているが、「．」に限定されるものではないことは勿論である。
情報処理装置の一構成部分である制御部について説明をする。図３は、制御部の一実施形態を示す図である。情報処理装置１の制御部２０２は、表示部３０１、受信部３０２、生成部３０３及び新規レコード挿入部３０４を有する。
【００３３】
表示部３０１は、例えば作業に係る機器の設置場所として直近である上位に位置付けられる設備の名称情報を記憶部２０１から読み出してこの直近である上位に位置付けられる設備のユニーク識別情報の入力が可能な状態で端末２に表示するものである。
【００３４】
ここで、後記するような代替ステップを実施する場合には、このような表示部３０１の代わりに、以下のような代替表示部としてもよい。即ち、代替表示部は、例えば、端末２から入力された、作業に係る機器の設置場所として直近である上位に位置付けられる設備又は直近でない上位に位置付けられる設備の作業上の識別情報に基づいて記憶部２０１から直近である上位に位置付けられる設備のユニーク識別情報の候補で末尾に係る階層その他の階層に同設備の作業上の識別情報を含むものを同設備のユニーク識別情報の選択入力が可能な状態で端末２に表示するものである。
【００３５】
また、受信部３０２は、例えば表示部３０１により表示された端末２の表示を通じて入力された直近である上位に位置付けられる設備のユニーク識別情報、並びに、端末２から入力された作業に係る機器の作業上の識別情報及び同機器の名称情報を受信するものである。
更に、生成部３０３は、例えば受信部３０２により受信した直近である上位に位置付けられる設備のユニーク識別情報、及び、作業に係る機器の作業上の識別情報を順次連結して作業に係る機器のユニーク識別情報を生成するものである。
更にまた、新規レコード挿入部３０４は、例えば生成部３０２により生成した作業に係る機器のユニーク識別情報に対して受信部３０２により受信した同機器の名称情報が対応させられている新規なレコードを記憶部２０１における設備機器情報テーブル５０１（図５）に挿入するものである。
【００３６】
図４は、作業上の識別情報とユニーク識別情報を説明するための図である。図４に示される円形は「機場」「施設１」「施設２」「区域」「部屋１」「部屋２」「部屋３」「盤１」「盤２」「装置１」「盤４」「部品１」〜「部品９」を示している。また、図４は装置１において部品４を新規に設置する作業を行った場合の例である。
【００３７】
本例では、部品４の設置前、「機場」「施設１」「施設２」「区域」「部屋１」「部屋２」「部屋３」「装置１」という各設備及び各機器のそれぞれに対しそれらに対応する作業上の識別情報「１２３４」「１５」「２３」「０１」「０２」「０３」「１０」が表示された階層構造顕在化手段が付されているところ、部品４の設置後、作業者自らが作業上の識別情報を「１２」として作業上の識別情報記入欄に記入すると共に記入した階層構造顕在化手段を作業に係る「部品４」に付する運用としている。なお、部品４に階層構造顕在化手段を付した後でも「施設２」「盤１」「盤２」「盤４」「部品１」〜「部品３」「部品５」〜「部品９」という各設備及び各機器のそれぞれに対しては階層構造顕在化手段が付されていないが、今後作業を行う毎に階層構造顕在化手段が付されていくことになる。
【００３８】
図５は、記憶部２０１に記憶された設備機器名称情報テーブルの一実施形態を示す図である。図５の設備機器名称情報テーブル５０１は、各設備及び各機器のそれぞれに割り当てられたユニーク識別情報に対して各ユニーク識別情報が示す各設備及び各機器の「名称」及び「階層数」が関連付けられて記憶されたものである。本例では、作業に係る機器である部品４よりも上位階層の階層数として７階層が事前に設定され、階層数「１」には「機場」、階層数「２」には「施設１」「施設２」、階層数「３」には「区域」、階層数「４」には「部屋１」「部屋２」「部屋３」、階層数「５」には「盤１」「盤２」「装置１」「盤４」、階層数「６」「７」には「部品１」〜「部品９」が関連付けられているが、まだ階層構造顕在化手段が付されていない設備及び機器は、図５の設備機器名称情報テーブル５０１に記憶されていない。
本例では、事前に装置１までのレコードが記録され、新たに部品４のレコードが挿入されたところが示されている。
【００３９】
即ち、機場、施設１、区域、部屋１、部屋２、部屋３、装置１それぞれのユニーク識別情報及び部品４のユニーク識別情報が設備機器名称情報テーブル５０１の「ユニーク識別情報」に記憶されている。本例では、「ユニーク識別情報」に「１２３４」「１２３４．１５」「１２３４．１５．２３」「１２３４．１５．２３．０１」「１２３４．１５．２３．０２」「１２３４．１５．２３．０３」「１２３４．１５．２３．０３．１０」「１２３４．１５．２３．０３．１０．１２」がそれぞれ記憶されている。
【００４０】
「名称」には、設備又は機器の名称を示す情報「機場」「施設１」「区域」「部屋１」「部屋２」「部屋３」「装置１」「部品４」が記憶されている。
「階層数」には階層を示す情報「１」〜「７」が記憶され、「１」〜「７」に対応する設備又は機器の「機場」「施設１」「区域」「部屋１」「部屋２」「部屋３」「装置１」「部品４」のユニーク識別情報が記憶されている。
【００４１】
図５に示すように、従来と異なる観点で設備及び機器を管理することで、効率よくデータベースを構築できる。
次に、本実施形態において、通信ネットワーク３を介して端末２に接続された情報処理装置１が作業上の識別情報及びユニーク識別情報を用いて実行する情報管理方法について説明する。
【００４２】
図６は、情報処理装置１の動作の一実施形態を示す図である。ここでは、装置１において部品４を新規に設置する作業を行った場合を例に挙げて説明する。
ステップＳ６０１では、ステップＳ６０２以下のステップを実施するための前提条件として、作業に係る機器である部品４の設置場所として直近である上位に位置付けられる設備である装置１のユニーク識別情報である「１２３４．１５．２３．０３．１０」に対して装置１の名称情報である「装置１」が対応させられているレコードを含む設備機器名称情報テーブル５０１が記憶された記憶部２０１を準備する。
【００４３】
ステップＳ６０２では、情報管理装置１の表示部３０１が、端末２からの指示を受けて、ステップＳ６０１により記憶部２０１に記憶された部品４の設置場所である装置１の名称情報である「装置１」を読み出してこの装置１のユニーク識別情報である「１２３４．１５．２３．０３．１０」の入力が可能な状態で端末２の入出力インターフェース２１５の一つであるモニターに表示する。例えば、装置１を示すアイコンデータを平面図データ上の所定の位置にこの装置１のユニーク識別情報である「１２３４．１５．２３．０３．１０」の入力が可能な状態で表示することが考えられる。
ここで、このようなステップＳ６０２の代わりに、以下のような代替ステップを実施してもよい。即ち、代替ステップでは、例えば、情報管理装置１の表示部３０１が、部品４の設置場所である装置１に付された階層構造顕在化手段を目視で確認した作業者により端末２を通じて入力された装置１の作業上の識別情報である「１０」に基づいて記憶部２０１から装置１のユニーク識別情報の候補で末尾に装置１の作業上の識別情報である「１０」を含むものを読み出してこの装置１のユニーク識別情報である「１２３４．１５．２３．０３．１０」の選択入力が可能な状態で端末２のモニターに表示する。
【００４４】
ステップＳ６０３では、情報管理装置１の受信部３０２が、ステップ６０２により表示された端末２のモニター表示を通じて作業者により入力された部品４の設置場所である装置１のユニーク識別情報である「１２３４．１５．２３．０３．１０」、並びに端末２から作業者により入力された作業に係る部品４の作業上の識別情報「１２」及び部品４の名称情報である「部品４」を受信する。
【００４５】
ステップＳ６０４では、情報管理装置１の生成部３０３が、ステップＳ６０３により受信した部品４の設置場所である装置１のユニーク識別情報である「１２３４．１５．２３．０３．１０」、及び、作業に係る部品４の作業上の識別情報「１２」を順次連結して作業に係る部品４のユニーク識別情報である「１２３４．１５．２３．０３．１０．１２」を生成する。
【００４６】
ステップＳ６０５では、情報管理装置１の新規レコード挿入部３０４が、ステップＳ６０４により生成した作業に係る部品４のユニーク識別情報である「１２３４．１５．２３．０３．１０．１２」に対してステップＳ６０３により受信した作業に係る部品４の名称情報である「部品４」が対応させられている新規なレコードを記憶部２０１における設備機器名称情報テーブル５０１に挿入する。
【００４７】
即ち、本実施形態によれば、管理者が事前に作業に係る機器の設置場所として直近である上位に位置付けられる設備情報の格納場所を含む設備情報データベースさえ準備しておけば、準備した同データベース上に情報の格納場所がない機器について作業者が作業を実施するときに、作業者を通じて作業に係る機器情報の格納場所を同データベース上に確保することができ、管理者が同データベース上に新規に格納場所を確保する手間を省くことができる。
しかも、本実施形態によれば、点検や修理などを必要とする機器に限って同データベース上に情報の格納場所が確保され、点検や修理などを必要としない、即ち、データベースからの情報の読み出しを必要としない機器について同データベース上に情報の格納場所が無駄に確保されることがないため、同データベースの記憶容量を効率よく活用できることになる。
【００４８】
なお、本発明は上記の実施の形態に限定されるものでなく、本発明の要旨を逸脱しない範囲内で種々の改良、変更が可能である。
【符号の説明】
【００４９】
１ 情報処理装置、
２、２ａ、２ｂ、２ｎ 端末、
３ 通信ネットワーク、
２０１ 制御部、
２０２ 記憶部、
２０３ 記録媒体読取装置、
２０４ インタフェース、
２０５ 通信部、
２０４ バス、
２０７ 記録媒体、
２０８ 入出力部、
３０１ 表示部、
３０２ 生成部、
３０３ 受信部
５０１ データベース、
【図１】
2014185111.tif 000003
【図２】
2014185111.tif 000004
【図３】
2014185111.tif 000005
【図４】
2014185111.tif 000006
【図５】
2014185111.tif 000007
【図６】
2014185111.tif 000008
【国際調査報告】
2014185111.tif 000009
2014185111.tif 000010
2014185111.tif 000011
2014185111.tif 000012